(57)【要約】      （修正有）【課題】構造物基礎の初期の機能を維持するための構造物基礎のメンテナンス方法を提供しようとする。【解決手段】従来の構造物基礎のメンテナンス方法に替わって、コンクリート層１００と基礎杭２００とフィラープレート３００と支持機構４００と基礎構造５００とを有し、前記支持機構４００の前記上フランジが前記基礎構造５００に固定され、前記支持機構４００の前記下フランジが前記フィラープレート３００の上部に固定される構造物基礎を準備し、前記フィラープレート３００または前記コンクリート層１００の何方か一方と基礎部材５１０との間にジャッキをかませて前記基礎部材５１０を持ち上げ、前記支持機構４００を前記フィラープレートと前記基礎部材５１０との間から外し水平方向に移動させて外部へ出し、新たな前記支持機構４００を外部から前記フィラープレート３００と前記基礎部材５１０との間に水平移動して設置するものとした。【選択図】図１
2019183573.tif 000002
【特許請求の範囲】
【請求項１】
地盤に設けられ柱を有する構造物を支持する構造物基礎のメンテナンス方法であって、
地盤の上に打設されるコンクリート層と、
前記コンクリート層を貫通して地盤に打ち込まれ頭部である杭頭を前記コンクリート層の上面から露出する杭である基礎杭と、
下部を前記杭頭に固定され上部を上方に向ける構造部材であるフィラープレートと、
上下一対のフランジである上フランジと下フランジと上部と下部とを上下一対の該フランジに各々に嵌合するプラグとを有する支持機構と、
上から見て散らばる様に配置され上部を構造物の柱の下部に固定される複数の基礎部材と水平に延びて複数の基礎部材を繋ぐ複数の梁部材とを有する基礎構造と、
を有し、
前記支持機構の前記上フランジが前記基礎構造に固定され、
前記支持機構の前記下フランジが前記フィラープレートの上部に固定される構造物基礎を準備する準備工程と、
前記フィラープレートまたは前記コンクリート層の何方か一方と前記基礎部材との間にジャッキをかませて前記基礎部材を持ち上げるジャッキアップ工程と、
前記支持機構を前記フィラープレートと前記基礎部材との間から外し水平方向に移動させて外部へ出す支持機構外し工程と、
新たな支持機構を準備する新たな支持機構準備工程と、
新たな前記支持機構を外部から前記フィラープレートと前記基礎部材との間に水平移動して設置する支持機構設置工程と、
を備える、
ことを特徴とする構造物基礎のメンテナンス方法。
【請求項２】
前記基礎構造が、上から見て散らばる様に配置され上部を構造物の柱の下部に固定され下部に下方に向いた開口を持ち前記杭頭と前記フィラープレートと前記支持機構とを内包する中空空間と該開口の周囲に下方に向いた下面である基礎部材下面とを形成する複数の基礎部材と水平に延びて複数の基礎部材を繋ぐ複数の梁部材とを有し、前記基礎部材が前記中空空間と外部とを繋ぎ前記支持機構を搬入出できる貫通穴を設けられ、
前記支持機構外し工程が、前記支持機構を前記フィラープレートと前記基礎部材との間から外し水平方向に移動させて前記中空空間から前記貫通穴を通して外部へ出す、
前記支持機構設置工程が、新たな前記支持機構を外部から前記貫通穴を通して前記中空空間に入れて前記フィラープレートと前記基礎部材との間に水平移動して設置する、
ことを特徴とする請求項１に記載の構造物基礎のメンテナンス方法。
【請求項３】
前記基礎部材が前記支持機構の前記上フランジが固定され前記中空空間の天井部を形成する基礎部材フランジと上部を該基礎部材フランジの周囲に繋げ下部を前記コンクリート層に当接して前記中空空間の内壁を形成する板状部材である内壁板状部材と該基礎部材フランジと該内壁板状部材とを型枠として施工された鉄筋コンクリート構造物を持ち、該鉄筋コンクリート構造物の筋材の端部が前記内壁板状部材に固定される、
ことを特徴とする請求項２に記載の構造物基礎のメンテナンス方法。
【請求項４】
発生した地震が収束した後で、前記支持機構の前記上フランジと前記下フランジの水平方向のずれ値をチェックし該ずれ量が所定量を越えているとき前記ジャッキアップ工程と前記支持機構外し工程と前記新たな支持機構準備工程と前記支持機構設置工程と前記ジャッキ外し工程とを実行し、
前記新たな支持機構準備工程が前記ずれ量に対応する新たな支持機構を準備する、
ことを特徴とする請求項３に記載の構造物基礎のメンテナンス方法。
【請求項５】
前記新たな支持機構準備工程が外した前記支持機構の前記上フランジと前記下フランジの水平方向のずれ量に応じて加工された上フランジまたは下フランジを持つ新たな前記支持機構を準備する、
ことを特徴とする請求項４に記載の構造物基礎のメンテナンス方法。
【請求項６】
前記支持機構の前記下フランジが前記下フランジより大きな面をもつフランジ状の部材である下フランジアダプタを介して前記フィラープレートの上部に固定され、
前記支持機構外し工程が、前記支持機構を前記下フランジアダプタと一体として前記フィラープレートと前記基礎部材との間から外し水平方向に移動させて外部へ出し、
前記新たな支持機構準備工程が外した前記支持機構の前記上フランジと前記下フランジの水平方向のずれ量に応じて加工された前記下フランジアダプタを含む新たな前記支持機構を準備し、
前記支持機構設置工程が、新たな前記支持機構を新たな下フランジアダプタと一体として外部から入れて前記フィラープレートと前記基礎部材との間に水平移動して設置する、
ことを特徴とする請求項５に記載の構造物基礎のメンテナンス方法。
【請求項７】
前記支持機構の前記上フランジが前記上フランジより大きな面をもつフランジ状の部材である上フランジアダプタを介して前記基礎部材に固定され、
前記支持機構外し工程が、前記支持機構を前記上フランジアダプタと一体として前記フィラープレートと前記基礎部材との間から外し水平方向に移動させて外部へ出し、
前記新たな支持機構準備工程が外した前記支持機構の前記上フランジと前記下フランジの水平方向のずれ量に応じて加工された前記上フランジアダプタを含む新たな前記支持機構を準備し、
前記支持機構設置工程が、新たな前記支持機構を新たな上フランジアダプタと一体として外部から入れて前記フィラープレートと前記基礎部材との間に水平移動して設置する、
ことを特徴とする請求項６に記載の構造物基礎のメンテナンス方法。
【請求項８】
発生した地震が収束した後で、前記支持機構の前記上フランジと前記下フランジの水平方向のずれ値をチェックし該ずれ量が所定量を越えているとき前記ジャッキアップ工程と前記支持機構外し工程と前記新たな支持機構準備工程と前記支持機構設置工程と前記ジャッキ外し工程とを実行し、
前記新たな支持機構準備工程が前記ずれ量に対応する新たな支持機構を準備する、
ことを特徴とする請求項１に記載の構造物基礎のメンテナンス方法。
【請求項９】
前記新たな支持機構準備工程が外した前記支持機構の前記上フランジと前記下フランジの水平方向のずれ量に応じて加工された上フランジまたは下フランジを持つ新たな前記支持機構を準備する、
ことを特徴とする請求項１に記載の構造物基礎のメンテナンス方法。
【請求項１０】
前記支持機構の前記下フランジが前記下フランジより大きな面をもつフランジ状の部材である下フランジアダプタを介して前記フィラープレートの上部に固定され、
前記支持機構外し工程が、前記支持機構を前記下フランジアダプタと一体として前記フィラープレートと前記基礎部材との間から外し水平方向に移動させて外部へ出し、
前記新たな支持機構準備工程が外した前記支持機構の前記上フランジと前記下フランジの水平方向のずれ量に応じて加工された前記下フランジアダプタを含む新たな前記支持機構を準備し、
前記支持機構設置工程が、新たな前記支持機構を新たな下フランジアダプタと一体として外部から入れて前記フィラープレートと前記基礎部材との間に水平移動して設置する、
ことを特徴とする請求項１に記載の構造物基礎のメンテナンス方法。
【請求項１１】
前記支持機構の前記上フランジが前記上フランジより大きな面をもつフランジ状の部材である上フランジアダプタを介して前記基礎部材に固定され、
前記支持機構外し工程が、前記支持機構を前記上フランジアダプタと一体として前記フィラープレートと前記基礎部材との間から外し水平方向に移動させて外部へ出し、
前記新たな支持機構準備工程が外した前記支持機構の前記上フランジと前記下フランジの水平方向のずれ量に応じて加工された前記上フランジアダプタを含む新たな前記支持機構を準備し、
前記支持機構設置工程が、新たな前記支持機構を新たな上フランジアダプタと一体として外部から入れて前記フィラープレートと前記基礎部材との間に水平移動して設置する、
ことを特徴とする請求項１に記載の構造物基礎のメンテナンス方法。
【発明の詳細な説明】
【技術分野】
【０００１】
本発明は、地盤に設けられ構造物を支持する構造物基礎のメンテナンス方法に関する。
【背景技術】
【０００２】
構造物基礎が地盤に設けられ、構造物を支持する。
構造物が複数の柱と複数の梁とスラブとで構成される。
例えば、構造物基礎は、コンクリート層と複数の基礎杭と基礎構造とで構成される。
基礎杭がコンクリート層を貫通して地盤に打ち込まれる。
基礎構造は、複数の基礎部材と複数の梁部材とで構成される。
上から見て、複数の基礎部材が碁盤の目状に散らばる様に配置される。
梁部材が基礎部材を繋ぐ。
基礎部材が基礎杭の杭頭に固定される。
地震が発生すると、基礎杭が構造物に作用した加速度による水平力を基礎構造を介して支持する。
【０００３】
近年の地震により、設計時に予定しなかった水平変位が生ずる可能性があることは分かってきた。
大きな水平変位があると、水平力により基礎杭に過大な曲げモーメントと剪断力が生じ、基礎杭と基礎構造の結合部が予想外の損傷をうける可能性がある。
そこで、近年、基礎杭と基礎部材の結合方法を見直して、基礎杭と基礎部材の結合部の損傷を避けようとする工夫が試されている。
一方、構造物に大きな転倒モーメントが作用すると、基礎構造の一部の基礎部材が浮き上げようとするロッキングが発生する可能性がある。
発明者は、上記の不具合点を解決するため簡易な構造により地震が発生したときに損傷しにくい新たな構造物基礎を考案した。
【０００４】
上記の構造物基礎を採用したばあい、想定を超える規模の地震が発生したときに、構造物基礎が初期の機能を維持する様にメンテナンスすることを求められる。
【発明の開示】
【発明が解決しようとする課題】
【０００５】
本発明は以上に述べた問題点に鑑み案出されたもので、構造物基礎の初期の機能を維持するための構造物基礎のメンテナンス方法を提供しようとする。
【課題を解決するための手段】
【０００６】
上記目的を達成するため、本発明に係る地盤に設けられ柱を有する構造物を支持する構造物基礎のメンテナンス方法を、地盤の上に打設されるコンクリート層と、前記コンクリート層を貫通して地盤に打ち込まれ頭部である杭頭を前記コンクリート層の上面から露出する杭である基礎杭と、下部を前記杭頭に固定され上部を上方に向ける構造部材であるフィラープレートと、上下一対のフランジである上フランジと下フランジと上部と下部とを上下一対の該フランジに各々に嵌合するプラグとを有する支持機構と、上から見て散らばる様に配置され上部を構造物の柱の下部に固定される複数の基礎部材と水平に延びて複数の基礎部材を繋ぐ複数の梁部材とを有する基礎構造と、を有し、前記支持機構の前記上フランジが前記基礎構造に固定され、前記支持機構の前記下フランジが前記フィラープレートの上部に固定される、構造物基礎を準備する準備工程と、前記フィラープレートまたは前記コンクリート層の何方か一方と前記基礎部材との間にジャッキをかませて前記基礎部材を持ち上げるジャッキアップ工程と、前記支持機構を前記フィラープレートと前記基礎部材との間から外し水平方向に移動させて外部へ出す支持機構外し工程と、新たな支持機構を準備する新たな支持機構準備工程と、新たな前記支持機構を外部から前記フィラープレートと前記基礎部材との間に水平移動して設置する支持機構設置工程と、を備えるものとした。
【０００７】
上記本発明の構成により、構造物基礎を、地盤の上に打設されるコンクリート層と、前記コンクリート層を貫通して地盤に打ち込まれ頭部である杭頭を前記コンクリート層の上面から露出する杭である基礎杭と、下部を前記杭頭に固定され上部を上方に向ける構造部材であるフィラープレートと、上下一対のフランジである上フランジと下フランジと上部と下部とを上下一対の該フランジに各々に嵌合するプラグとを有する支持機構と、上から見て散らばる様に配置され上部を構造物の柱の下部に固定される複数の基礎部材と水平に延びて複数の基礎部材を繋ぐ複数の梁部材とを有する基礎構造と、を有し、前記支持機構の前記上フランジが前記基礎構造に固定され、前記支持機構の前記下フランジが前記フィラープレートの上部に固定され、ものとする。ジャッキアップ工程が、前記フィラープレートまたは前記コンクリート層の何方か一方と前記基礎部材との間にジャッキをかませて前記基礎部材を持ち上げる。
支持機構外し工程が、前記支持機構を前記フィラープレートと前記基礎部材との間から外し水平方向に移動させて外部へ出す。新たな支持機構準備工程が、新たな支持機構を準備する。支持機構設置工程が、新たな前記支持機構を外部から前記フィラープレートと前記基礎部材との間に水平移動して設置する。
その結果、想定を超える規模の地震が発生したときに支持機構を交換して、構造物基礎の初期の機能を維持できる。
【０００８】
以下に、本発明の実施形態に係る構造物基礎のメンテナンス方法を説明する。本発明は、以下に記載した実施形態のいずれか、またはそれらの中の二つ以上が組み合わされた態様を含む。
【０００９】
また、本発明の実施形態に係る構造物基礎は、前記基礎構造が、上から見て散らばる様に配置され上部を構造物の柱の下部に固定され下部に下方に向いた開口を持ち前記杭頭と前記フィラープレートと前記支持機構とを内包する中空空間と該開口の周囲に下方に向いた下面である基礎部材下面とを形成する複数の基礎部材と水平に延びて複数の基礎部材を繋ぐ複数の梁部材とを有し、前記基礎部材が前記中空空間と外部とを繋ぎ前記支持機構を搬入出できる貫通穴を設けられ、前記支持機構外し工程が、前記支持機構を前記フィラープレートと前記基礎部材との間から外し水平方向に移動させて前記中空空間から前記貫通穴を通して外部へ出し、前記支持機構設置工程が、新たな前記支持機構を外部から前記貫通穴を通して前記中空空間に入れて前記フィラープレートと前記基礎部材との間に水平移動して設置する。
上記本発明に係る実施形態の構成により、前記基礎構造が、上から見て散らばる様に配置され上部を構造物の柱の下部に固定され下部に下方に向いた開口を持ち前記杭頭と前記フィラープレートと前記支持機構とを内包する中空空間と該開口の周囲に下方に向いた下面である基礎部材下面とを形成する複数の基礎部材と水平に延びて複数の基礎部材を繋ぐ複数の梁部材とを有する。前記基礎部材が前記中空空間と外部とを繋ぎ前記支持機構４００を搬入出できる貫通穴を設けられる。前記支持機構外し工程が、前記支持機構を前記フィラープレートと前記基礎部材との間から外し水平方向に移動させて前記中空空間から前記貫通穴を通して外部へ出す。前記支持機構設置工程が、新たな前記支持機構を外部から前記貫通穴を通して前記中空空間に入れて前記フィラープレートと前記基礎部材との間に水平移動して設置する。
その結果、想定を超える規模の地震が発生したときに支持機構を交換して、構造物基礎の初期の機能を維持できる。
【００１０】
また、本発明の実施形態に係る構造物基礎のメンテナンス方法は、前記基礎部材が前記支持機構の前記上フランジが固定され前記中空空間の天井部を形成する基礎部材フランジと上部を該基礎部材フランジの周囲に繋げ下部を前記コンクリート層に当接して前記中空空間の内壁を形成する板状部材である内壁板状部材と該基礎部材フランジと該内壁板状部材とを型枠として施工された鉄筋コンクリート構造物を持ち、該鉄筋コンクリート構造物の筋材の端部が前記内壁板状部材に固定される。
上記本発明に係る実施形態の構成により、前記基礎部材が前記支持機構の前記上フランジが固定され前記中空空間の天井部を形成する基礎部材フランジと上部を該基礎部材フランジの周囲に繋げ下部を前記コンクリート層に当接して前記中空空間の内壁を形成する板状部材である内壁板状部材と該基礎部材フランジと該内壁板状部材とを型枠として施工された鉄筋コンクリート構造物を持ち、該鉄筋コンクリート構造物の筋材の端部が前記内壁板状部材に固定される。
【００１１】
また、本発明の実施形態に係る構造物基礎のメンテナンス方法は、発生した地震が収束した後で、前記支持機構の前記上フランジと前記下フランジの水平方向のずれ値をチェックし該ずれ量が所定量を越えているとき前記ジャッキアップ工程と前記支持機構外し工程と前記新たな支持機構準備工程と前記支持機構設置工程と前記ジャッキ外し工程とを実行し、前記新たな支持機構準備工程が前記ずれ量に対応する新たな支持機構を準備する。
上記本発明に係る実施形態の構成により、発生した地震が収束した後で、前記支持機構の前記上フランジと前記下フランジの水平方向のずれ値をチェックし該ずれ量が所定量を越えているとき前記ジャッキアップ工程と前記支持機構外し工程と前記新たな支持機構準備工程と前記支持機構設置工程と前記ジャッキ外し工程とを実行しする。前記新たな支持機構準備工程が前記ずれ量に対応する新たな支持機構を準備する。
その結果、想定を超える規模の地震が発生したときにずれ量に対応して支持機構を交換して、構造物基礎の初期の機能を維持できる。
【００１２】
また、本発明の実施形態に係る構造物基礎のメンテナンス方法は、前記新たな支持機構準備工程が外した前記支持機構の前記上フランジと前記下フランジの水平方向のずれ量に応じて加工された前記上フランジまたは前記下フランジを持つ新たな前記支持機構を準備する。
上記本発明に係る実施形態の構成により、前記新たな支持機構準備工程が外した前記支持機構の前記上フランジと前記下フランジの水平方向のずれ量に応じて加工された上フランジまたは下フランジを持つ前記支持機構を準備する。
その結果、想定を超える規模の地震が発生したときにずれ量に対応して前記支持機構を交換して、構造物基礎の初期の機能を維持できる。
【００１３】
また、本発明の実施形態に係る構造物基礎のメンテナンス方法は、前記支持機構の前記下フランジが前記下フランジより大きな面をもつフランジ状の部材である下フランジアダプタを介して前記フィラープレートの上部に固定され、前記支持機構外し工程が、前記支持機構を前記下フランジアダプタと一体として前記フィラープレートと前記基礎部材との間から外し水平方向に移動させて外部へ出し、前記新たな支持機構準備工程が外した前記支持機構の前記上フランジと前記下フランジの水平方向のずれ量に応じて加工された前記下フランジアダプタを含む新たな前記支持機構と準備し、前記支持機構設置工程が、新たな前記支持機構を新たな下フランジアダプタと一体として外部から入れて前記フィラープレートと前記基礎部材との間に水平移動して設置する。
上記本発明に係る実施形態の構成により、前記支持機構の前記下フランジが前記下フランジより大きな面をもつフランジ状の部材である下フランジアダプタを介して前記フィラープレートの上部に固定される。前記支持機構外し工程が、前記支持機構を前記下フランジアダプタと一体として前記フィラープレートと前記基礎部材との間から外し水平方向に移動させて外部へ出す。前記新たな支持機構準備工程が外した前記支持機構の前記上フランジと前記下フランジの水平方向のずれ量に応じて加工された前記下フランジアダプタを含む新たな前記支持機構と準備する。前記支持機構設置工程が、新たな前記支持機構を新たな下フランジアダプタと一体として外部から入れて前記フィラープレートと前記基礎部材との間に水平移動して設置する。
その結果、想定を超える規模の地震が発生したときに前記ずれ量に対応して前記支持機構を交換して、構造物基礎の初期の機能を維持できる。
【００１４】
また、本発明の実施形態に係る構造物基礎のメンテナンス方法は、前記支持機構の前記上フランジが前記上フランジより大きな面をもつフランジ状の部材である上フランジアダプタを介して前記基礎部材に固定され、前記支持機構外し工程が、前記支持機構を前記上フランジアダプタと一体として前記フィラープレートと前記基礎部材との間から外し水平方向に移動させて外部へ出し、前記新たな支持機構準備工程が外した前記支持機構の前記上フランジと前記下フランジの水平方向のずれ量に応じて加工された前記上フランジアダプタと新たな前記支持機構とを準備し、前記支持機構設置工程が、新たな前記支持機構を新たな上フランジアダプタと一体として外部から入れて前記フィラープレートと前記基礎部材との間に水平移動して設置する。
上記本発明に係る実施形態の構成により、前記支持機構の前記上フランジが前記上フランジより大きな面をもつフランジ状の部材である上フランジアダプタを介して前記基礎部材に固定される。前記支持機構外し工程が、前記支持機構を前記上フランジアダプタと一体として前記フィラープレートと前記基礎部材との間から外し水平方向に移動させて外部へ出す。前記新たな支持機構準備工程が外した前記支持機構の前記上フランジと前記下フランジの水平方向のずれ量に応じて加工された前記上フランジアダプタと新たな前記支持機構とを準備する。前記支持機構設置工程が、新たな前記支持機構を新たな上フランジアダプタと一体として外部から入れて前記フィラープレートと前記基礎部材との間に水平移動して設置する。
その結果、想定を超える規模の地震が発生したときに前記ずれ量に対応して前記支持機構を交換して、構造物基礎の初期の機能を維持できる。
その結果、基礎部材を中空空間と一体化して製作でき、中空空間内の作業をより安全にできる。
【発明の効果】
【００１５】
以上説明したように、本発明に係る構造物基礎のメンテナンス方法は、その構成により、以下の効果を有する。
基礎杭が地盤の上に打設されたコンクリート層を貫通し、コンクリート層の上面から露出する杭頭にフィラープレートが嵌合し、下フランジが前記フィラープレートの上部に固定れ、上下一対のフランジにプラグの上下を固定され、支持機構の上フランジが柱の下部に固定される基礎構造に固定され、基礎構造の下方に向いた開口をもつ中空空間が前記フィラープレートと前記支持構造を内包し、開口の周囲の基礎部材下面がコンクリート層の上面を水平方向に相対移動自在に当接する構造物基礎を準備し、ジャッキをかませて前記基礎部材を持ち上げ、前記支持機構を前記フィラープレートと前記基礎部材との間から外し水平方向に移動させて外部へ出し、新たな支持機構を準備し、新たな前記支持機構を外部から入れて前記フィラープレートと前記基礎部材との間に水平移動して設置する様にしたので、想定を超える規模の地震が発生したときに支持機構を交換して、構造物基礎の初期の機能を維持できる。
また、前記構造物基礎を準備し、ジャッキをかませて前記基礎部材を持ち上げ、前記支持機構を前記フィラープレートと前記基礎部材との間から外し水平方向に移動させて前記中空空間から前記貫通穴を通して外部へ出し、新たな支持機構を準備し、新たな前記支持機構を外部から入れて前記フィラープレートと前記基礎部材との間に水平移動して設置する様にしたので、想定を超える規模の地震が発生したときに支持機構を交換して、構造物基礎の初期の機能を維持できる。
また、支持部材の上フランジが固定される前記基礎構造フランジが中空空間の天井部を形成し、前記内壁板状部材が前記中空空間の内壁を形成し、前記基礎部材が前記基礎構造フランジと前記内壁板状部材とを型枠として施工された鉄筋コンクリート構造物とする様にしたので、基礎部材を中空空間と一体化して製作でき、中空空間内の作業をより安全にできる。
また、発生した地震が収束した後で、前記支持機構の前記上フランジと前記下フランジの水平方向のずれ値をチェックし該ずれ量が所定量を越えているとき、前記ずれ量に対応する新たな支持機構を準備する様にしたので、想定を超える規模の地震が発生したときにずれ量に対応して支持機構を交換して、構造物基礎の初期の機能を維持できる。
また、外した前記支持機構の前記上フランジと前記下フランジの水平方向のずれ量に応じて加工された前記上フランジまたは前記下フランジを持つ新たな前記支持機構を準備する様にしたので、想定を超える規模の地震が発生したときにずれ量に対応して前記支持機構を交換して、構造物基礎の初期の機能を維持できる。
また、構造物基礎を前記下フランジが下フランジアダプタを介して前記フィーラープレートの上に固定される構造とし、前記支持機構と前記下フランジアダプタとを一体として前記フィラープレートと前記基礎部材との間から外して、外した前記支持機構の前記上フランジと前記下フランジの水平方向のずれ量に応じて加工された前記下フランジアダプタと新たな支持機構とを準備し、新たな前記支持機構と新たな下フランジアダプタとを一体として前記フィラープレートと前記基礎部材との間に水平移動して設置する様にしたので、想定を超える規模の地震が発生したときに前記ずれ量に対応して前記支持機構を交換して、構造物基礎の初期の機能を維持できる。
また、構造物基礎を前記上フランジが上フランジアダプタを介して前記基礎部材に固定される構造とし、前記支持機構と前記上フランジアダプタとを一体として前記フィラープレートと前記基礎部材との間から外して、外した前記支持機構の前記上フランジと前記下フランジの水平方向のずれ量に応じて加工された前記上フランジアダプタと新たな支持機構とを準備し、新たな前記支持機構と新たな上フランジアダプタとを一体として前記フィラープレートと前記基礎部材との間に水平移動して設置する様にしたので、想定を超える規模の地震が発生したときに前記ずれ量に対応して前記支持機構を交換して、構造物基礎の初期の機能を維持できる。
その結果、想定を超える規模の地震が発生したときに構造物基礎の初期の機能を維持するための構造物基礎のメンテナンス方法を提供できる。
【図面の簡単な説明】
【００１６】
【図１】本発明の実施形態に係る構造物基礎の概念図である。
【図２】本発明の実施形態に係る構造物基礎の作用図である。
【図３】本発明の実施形態に係る構造物基礎のメンテナンス方法の手順図である。
【図４】本発明の実施形態に係る構造物基礎のメンテナンス方法の概念図である。
【図５】本発明の実施形態に係る構造物基礎のフィラープレートの構造図である。
【図６】本発明の実施形態に係る構造物基礎の基礎構造の概念図その１である。
【図７】本発明の実施形態に係る構造物基礎の基礎構造の概念図その２である。
【図８】本発明の実施形態に係る構造物基礎の基礎構造の概念図その３である。
【図９】本発明の実施形態に係る構造物基礎の基礎杭の概念図である。
【図１０】本発明の実施形態に係る構造物基礎の基礎杭とフィラープレートの関係図である。
【図１１】本発明の実施形態に係る構造物基礎の支持機構の構造図その１である。
【図１２】本発明の実施形態に係る構造物基礎の支持機構の構造図その２である。
【図１３】本発明の実施形態に係る構造物基礎の支持機構のフランジアダプタの構造図である。
【図１４】本発明の実施形態に係る構造物基礎の性能図である。
【発明を実施するための形態】
【００１７】
以下、本発明を実施するための最良の形態を、図面を参照して説明する。
【００１８】
本発明の実施形態に係る構造物基礎のメンテナンス方法は、地盤に設けられ柱を有する構造物を支持する本発明の実施形態に係る構造物基礎をメンテナンスする方法である。
図１には、本発明の実施形態に係る構造物基礎の概念図を示す。
構造物１０は、複数の柱１１と複数の梁（図示せず）とで構成されてももよい。
構造物１０は、複数の柱１１と複数の梁と複数のスラブ床（図示せず）とで構成されてももよい。
柱１１は、下部を後述する基礎構造５００の上部に固定される。
例えば、柱１１の鉄筋は基礎構造５００の上部の鉄筋に繋がる。
梁は、隣り合った柱１１を繋ぐ。
【００１９】
本発明の実施形態に係る構造物基礎のメンテナンス方法は、準備工程Ｓ１０とジャッキアップ工程Ｓ３０と支持機構外し工程Ｓ４０と新たな支持機構準備工程Ｓ５０と支持機構設置工程Ｓ６０とで構成される。
本発明の実施形態に係る構造物基礎のメンテナンス方法は、準備工程Ｓ１０とチェック工程Ｓ２０とジャッキアップ工程Ｓ３０と支持機構外し工程Ｓ４０と新たな支持機構準備工程Ｓ５０と支持機構設置工程Ｓ６０とで構成されてもよい。
本発明の実施形態に係る構造物基礎のメンテナンス方法は、準備工程Ｓ１０とジャッキアップ工程Ｓ３０と支持機構外し工程Ｓ４０と新たな支持機構準備工程Ｓ５０と支持機構設置工程Ｓ６０とジャッキ外し工程Ｓ７０とで構成されてもよい。
本発明の実施形態に係る構造物基礎のメンテナンス方法は、準備工程Ｓ１０とチェック工程Ｓ２０とジャッキアップ工程Ｓ３０と支持機構外し工程Ｓ４０と新たな支持機構準備工程Ｓ５０と支持機構設置工程Ｓ６０とジャッキ外し工程Ｓ７０とで構成されてもよい。
【００２０】
準備工程Ｓ１０は、構造物基礎を準備する工程である。
以下に、本発明の実施形態にかかる構造物基礎を、図を基に、説明する。
図１は、本発明の実施形態に係る構造物基礎の概念図である。図２は、本発明の実施形態に係る構造物基礎の作用図である。図５は、本発明の実施形態に係る構造物基礎のフィラープレートの構造図である。図６は、本発明の実施形態に係る構造物基礎の基礎構造の概念図その１である。図７は、本発明の実施形態に係る構造物基礎の基礎構造の概念図その２である。図８は、本発明の実施形態に係る構造物基礎の基礎構造の概念図その３である。図９は、本発明の実施形態に係る構造物基礎の基礎杭の概念図である。図１０は、本発明の実施形態に係る構造物基礎の基礎杭とフィラープレートの関係図である。図１１は、本発明の実施形態に係る構造物基礎の支持機構の構造図その１である。図１２は、本発明の実施形態に係る構造物基礎の支持機構の構造図その２である。図１３は、本発明の実施形態に係る構造物基礎の支持機構のフランジアダプタの構造図である。図１４は、本発明の実施形態に係る構造物基礎の性能図である。
【００２１】
本発明の実施形態に係る構造物基礎は、基礎杭２００とフィラープレート３００と支持機構４００と基礎構造５００とで構成される。
本発明の実施形態に係る構造物基礎は、コンクリート層１００と基礎杭２００とフィラープレート３００と支持機構４００と基礎構造５００とで構成されてもよい。
本発明の実施形態に係る構造物基礎は、コンクリート層１００と複数の基礎杭２００と複数のフィラープレート３００と複数の支持機構４００と複数の基礎構造５００とで構成されてもよい。
本発明の実施形態に係る構造物基礎は、コンクリート層１００とＮ個の基礎杭２００とＮ個のフィラープレート３００とＮ個の支持機構４００とＮ個の基礎構造５００とで構成されてもよい。この場合、１本の基礎杭２００が１個のフィラープレート３００と１個の支持機構４００と１個の基礎構造５００を支持する。
【００２２】
コンクリート層１００は、地盤５に打設される。
例えば、コンクリート層１００は、地盤面１０００より下の地盤５に打設される。
例えば、コンクリート層１００は、地盤５の上に打設されるいわゆる「捨てコン」の層である。
例えば、コンクリート層１００は、地盤の上に打設される鉄筋コンクリートの層である。
例えば、コンクリート層１００は、５０ｍｍ〜１００ｍｍ程度の厚みをもつ。
コンクリート層１００の上面を、コンクリート層上面Ｓと呼称する。
コンクリート層上面Ｓは水平面を形成する。
【００２３】
基礎杭２００は、コンクリート層１００を貫通して地盤５に打ち込まれ、頭部である杭頭２１０をコンクリート層１００の上面から露出する杭である。
基礎杭２００の杭本体２２０が、コンクリート層１００を貫通して地盤５に打ち込まれる。
杭本体２２０の外壁は円柱形状であってもよい。
杭本体２２０の外壁は多角形の形状であってもよい。
説明に用いる図では、杭本体２２０の外壁が円柱形状であるとして図示している。
基礎杭２００は、鉄筋コンクリート製であってもよい。
基礎杭２００は、中空形状であってもよい。
基礎杭２００は、鉄筋コンクリート製の外壁を金属製の円管が覆っていてもよい。
【００２４】
フィラープレート３００は、下部を杭頭２１０に固定され上部を上方に向ける構造部材である。
フィラープレート３００は、下部を杭頭２１０に嵌合して固定され上部を上方に向ける構造部材であってもよい。
フィラープレート３００は、下部を杭頭２１０に分離可能に嵌合して固定され上部を上方に向ける構造部材であってもよい。
フィラープレート３００は、下部を杭頭２１０にボルト結合して固定され上部を上方に向ける構造部材であってもよい。
図１０（Ａ）（Ｂ）は、フィラープレート３００が下部を一個の杭頭２１０に嵌合して上部を上方に向ける様子を示す。
図１０（Ｃ）は、フィラープレート３００が下部を２本の杭頭２１０に嵌合して上部を上方に向ける様子を示す。
フィラープレート３００は、下部を杭頭２１０に嵌合して分離可能に固定され上部を上方に向ける構造部材であってもよい。
フィラープレート３００は、下部を杭頭２１０に特殊工具を用いずに嵌合して分離可能に固定され上部を上方に向ける構造部材であってもよい。
フィラープレート３００は、下部を杭頭２１０に嵌合して破壊せずに分分離可能に固定され上部を上方に向ける構造部材であってもよい。
フィラープレート３００は、板状部３１０で構成される。
フィラープレート３００は、板状部３１０と締結ボルト３１１とで構成されてもい。
フィラープレート３００は、板状部３１０と環状部３２０とで構成されてもよい。
フィラープレート３００は、板状部３１０と突起部３３０とで構成されてもよい。
フィラープレート３００は、板状部３１０と環状部３２０とで構成されてもよい。
フィラープレート３００は、板状部３１０と環状部３２０と鍔状部３４０とで構成されてもよい。
フィラープレート３００は、板状部３１０と環状部３２０と突起部３３０とで構成されてもよい。
フィラープレート３００は、板状部３１０と環状部３２０と突起部３３０と鍔状部３４０とで構成されてもよい。
フィラープレート３００は、板状部３１０と締結ボルト３１１と環状部３２０と突起部３３０とで構成されてもよい。
フィラープレート３００は、板状部３１０と締結ボルト３１１と環状部３２０と突起部３３０と鍔状部３４０とで構成されてもよい。
【００２５】
板状部３１０は、杭頭２１０の上面に上から当接する下面を形成する部分である。
例えば、杭頭２１０が円形であるとき、板状部３１０は円盤状の部分である。
図５（Ａ）〜（Ｆ）は、板状部３１０が、杭頭２１０の上面に上から当接する様子を示す。
【００２６】
締結ボルト３１１は、フィラープレート３００を杭頭２１０にねじ結合する機械要素である。
例えば、締結ボルト３１１は、板状部３１０を杭頭２１０にねじ結合する。
例えば、締結ボルト３１１は、板状部３１０を杭頭２１０の外周の中空円形の鉄管にねじ結合する。
例えば、締結ボルト３１１は、板状部３１０を杭頭２１０の外周の中空円形の鉄管に設けられた雌ねじにねじ結合する。
図５（Ｄ）は、締結ボルト３１１が板状部３１０を杭頭２１０の外周の中空円形の鉄管にねじ結合する様子を示す。
【００２７】
環状部３２０は、板状部３１０の外周に繋がり杭頭２１０の外壁に外周から当接する内周面を形成する。
例えば、杭頭２１０の外壁が円形であるとき、環状部３２０は、内壁を杭頭２１０の外壁に当接する円管状の部分である。
図５（Ａ）（Ｃ）（Ｄ）（Ｆ）は、環状部３２０が板状部３１０の外周に繋がり杭頭２１０の外壁に外周から当接する内周面を形成する様子を示す。
【００２８】
突起部３３０は、フィラープレート３００の下部に杭頭２１０の中空形状の内壁に内周から当接する外周面を形成する部分である。
例えば、突起部３３０は、板状部３１０の下部に杭頭２１０の中空形状の内壁に内周から当接する外周面を形成する部分である。
図５（Ｃ）（Ｅ）（Ｆ）は、突起部３３０がフィラープレート３００の下部に杭頭２１０の中空形状の内壁に内周から当接する外周面を形成する様子を示す。
【００２９】
鍔状部３４０は、環状部３２０の外壁に固定され、鍔状に周囲に延びる板状の部分である。
例えば、鍔状部３４０は、環状部３２０の外壁の下部に固定され、鍔状に周囲に延びる板状の部分である。
例えば、鍔状部３４０は、下面をコンクリート層上面Ｓに当接してもよい。
図５（Ｆ）は、鍔状部３４０が環状部３２０の外壁に固定され、鍔状に周囲に延び、下面をコンクリート層上面Ｓに当接する様子を示す。
【００３０】
フィラープレート３００が、杭頭２１０に嵌合し、さらにボルト結合されて固定される場合の接合を剛接合と呼称する。
フィラープレート３００が、杭頭２１０に嵌合し、ボルト結合されないで固定される場合の接合を半剛接合と呼称する。
図１４（Ａ）は、フィラープレート３００と杭頭２１０とが剛接合されるケースにおいて、杭頭に水平方向の剪断力が作用したときにベンディングモーメントダイアグラムを示す。
図１４（Ｂ）は、フィラープレート３００と杭頭２１０とが半剛接合されるケースにおいて、杭頭に水平方向の剪断力が作用したときにベンディングモーメントダイアグラムを示す。
図１４（Ｃ）は、比較の為、フィラープレート３００と杭頭２１０とがピン接合または球接合されるケースにおいて、杭頭に水平方向の剪断力が接合部の回転方向に作用したときにベンディングモーメントダイアグラムを示す。
フィラープレート３００と杭頭２１０とが剛接合されるケースでは、基礎杭２００の作用する最大曲げモーメントがピン接合される場合の最大曲げモーメントの７０％程度になる。
フィラープレート３００と杭頭２１０とが半剛接合されるケースでは、基礎杭２００の作用する最大曲げモーメントがピン接合される場合の最大曲げモーメントの３０〜４０％程度になる。
【００３１】
支持機構４００は、上下一対のフランジ４１０である上フランジ４１２と下フランジ４１１とプラグ４３０とで構成される。
プラグ４３０は、金属製であってもよい。
例えば、プラグ４３０は、鉛製である。
例えば、プラグ４３０は、鉛すず合金製である。
例えば、プラグ４３０は、その他の合金製である。
プラグ４３０は、上フランジ４１２と下フランジ４１１と上部と下部とを上下一対のフランジに各々に固定されるものである。
例えば、プラグ４３０は、円柱形状の部材であって、上部が上フランジ４１２の下部に固定され、下部が下フランジ４１１に固定される。
例えば、プラグ４３０は、円柱形状の部材であって、上部が上フランジ４１２の下部に設けられた凹みに嵌合し、下部が下フランジ４１１の上部に設けられた凹みに嵌合する。
【００３２】
支持機構４００は、積層部材４２０と上下一対のフランジ４１０である上フランジ４１２と下フランジ４１１とプラグ４３０とで構成されてもよい。
積層部材４２０は、複数の板状部材が上下方向に積層され、上下方向に延びる柱状の中空部Ｗを設けられるものである。
上下一対のフランジ４１０である下フランジ４１１と上フランジ４１２とが、積層部材４２０を上下方向に挟む。
プラグ４３０は、中空部Ｗに位置し上部と下部とを上下一対のフランジに各々に固定される。
プラグ４３０は、中空部Ｗに充填され上部と下部とを上下一対のフランジに各々に嵌合してもよい。
図１１は、プラグ４３０が、中空部Ｗに充填され上部と下部とを上下一対のフランジに各々に固定される様子を示す。
図１２は、プラグ４３０が中空部Ｗに位置し上部と下部とを上下一対のフランジに各々に固定される様子を示す。
図１２は、プラグ４３０は、中空部Ｗに水平方向に隙間を設けて位置し上部と下部とを上下一対のフランジに各々に固定される様子を示す。
【００３３】
積層部材４２０が、単数または複数の金属製板状部材４２１と単数または複数の弾性材製板状部材４２２とが上下方向に交互に重なり互いに接着されたものでもよい。
この様な構造では、上フランジ４１２と下フランジ４１１とが水平方向に相対移動すると、弾性材製板状部材４２２が水平方向に剪断変形し、全体として積層部材４２０が水平方向に剪断変形する。
【００３４】
積層部材４２０が複数の金属製板状部材４２１が上下方向に互いに重なったものでもよい。
複数の金属製板状部材４２１の表面が低摩擦になる処理がされていれもよい。
例えば、複数の金属製板状部材４２１の表面がＰＴＦＥ含侵処理していてもよい。
この様な構造では、上フランジ４１２と下フランジ４１１とが水平方向に相対移動すると、金属製板状部材４２１が水平方向に境目で滑って、全体として積層部材４２０が水平方向に剪断変形する。
【００３５】
支持機構４００は、積層部材４２０と上下一対のフランジ４１０である上フランジ４１２と下フランジ４１１とプラグ４３０と外周被覆部材４４０とで構成されてもよい。
外周被覆部材４４０は、積層部材４２０と外周を被覆する部材である。
外周被覆部材４４０は、積層部材４２０と外周を被覆する弾性材製部材であってもよい。
外周被覆部材４４０は、積層部材４２０と外周を被覆する金属製部材であってもよい。
【００３６】
支持機構４００の上フランジ４１２が後述する基礎構造５００に固定され、支持機構４００の下フランジ４１１がフィラープレート３００の上部に固定される。
支持機構４００の上フランジ４１２が後述する基礎構造５００に螺子で固定され、支持機構４００の下フランジ４１１がフィラープレート３００の上部に螺子で固定される。
支持機構４００の上フランジ４１２が後述する基礎構造５００の中空空間Ｈの天井部に固定され、支持機構の下フランジ４１１がフィラープレート３００の上部に固定されてもよい。
【００３７】
支持機構４００の下フランジ４１１が下フランジ４１１より大きな面をもつフランジ状の部材である下フランジアダプタ４１３を介してフィラープレート３００の上部に固定されてもよい。
図１３（Ａ）は、支持機構４００の下フランジ４１１が下フランジアダプタ４１３を介してフィラープレートの上部に固定される様子を示す。
【００３８】
支持機構４００の上フランジ４１２が上フランジ４１２より大きな面をもつフランジ状の部材である上フランジアダプタ４１４を介して基礎部材５１０に固定されてもよい。
図１３（Ｂ）は、支持機構４００の上フランジ４１２が上フランジアダプタ４１４を介して基礎部材５１０に固定される様子を示す。
【００３９】
支持機構４００の下フランジ４１１が下フランジ４１１より大きな面をもつフランジ状の部材である下フランジアダプタ４１３を介してフィラープレート３００の上部に固定され、支持機構４００の上フランジ４１２が上フランジ４１２より大きな面をもつフランジ状の部材である上フランジアダプタ４１４を介して基礎部材５１０に固定されてもよい。
【００４０】
地震が発生したとき発生する水平力により基礎杭２００が損傷する前にプラグが水平方向に剪断変形する様になっている。
図２は、地震が発生したとき発生する水平力により基礎杭が損傷する前にプラグ４３０が水平方向に剪断変形する様子を示す。
図１１に示す構造では、上フランジ４１２と下フランジ４１１とに水平方向の剪断力が働くと、積層部材４２０の複数の板状部材が水平方向に相対移動し、プラグ４３０と積層部材４２０とが一体として剪断変形する。
図１２に示す構造では、上フランジ４１２と下フランジ４１１とに水平方向の剪断力が働くと、積層部材４２０の複数の板状部材が水平方向に相対移動し、プラグが中空部Ｗの中で剪断変形する。
【００４１】
基礎構造５００は、基礎部材５１０と梁部材５２０とで構成される。
基礎構造５００は、複数の基礎部材５１０と複数の梁部材５２０とで構成されてもよい。
【００４２】
基礎部材５１０は、上部を構造物１０の柱１１の下部に固定される部材である。
基礎部材５１０は、上から見て散らばる様に配置され上部を構造物１０の柱１１の下部に固定されてもよい。
基礎部材５１０は、上から見て碁盤の目状に散らばる様に配置され上部を構造物１０の柱１１の下部に固定されてもよい。
【００４３】
基礎部材５１０は、上部を構造物の柱１０の下部１１に固定され、下部に下方に向いた開口を持ち杭頭２１０とフィラープレート３００と支持機構４００とを内包する中空空間Ｈと開口の周囲に下方に向いた下面である基礎部材下面Ｄとを形成する部材であってもよい。
基礎部材５１０は、上部を構造物の柱１０の下部１１に固定され、下部に下方に向いた開口を持ち杭頭２１０とフィラープレート３００と支持機構４００とを内包する中空空間Ｈと開口の周囲に下方に向いた下面である基礎部材下面Ｄとを形成する部材であってもよい。
基礎部材５１０は、上部を構造物１０の柱１１の下部に固定され、下部に下方に向いた開口を持ち杭頭２１０とフィラープレート３００と支持機構とを内包する中空空間Ｈと開口の周囲に下方に向いた下面である基礎部材下面Ｄとを形成する部材であってもよい。
図６（Ａ）（Ｂ）、図７、図８は、基礎部材５１０の形成する下部に下方に向いた開口を持つ中空区間Ｈが、杭頭２１０とフィラープレート３００と支持機構とを内包する様子を示す。
【００４４】
梁部材５２０は、水平に延びて複数の基礎部材５１０を繋ぐ部材である。
梁部材５２０の鉄筋が基礎部材５１０の鉄筋に交差する。
この様にすると、基礎構造５００が一体となる。
地震が発生したとき、基礎構造５００が一体となって水平移動できる。
【００４５】
基礎部材５１０が、基礎構造フランジ５１１と内壁板状部材５１２とで構成されてもよい。
基礎部材５１０が、基礎構造フランジ５１１と内壁板状部材５１２と鍔状部材５１３とで構成されてもよい。
基礎部材５１０が、基礎構造フランジ５１１と内壁板状部材５１２と鍔状部材５１３と鉄筋コンクリート構造物５１４とで構成されてもよい。
基礎構造フランジ５１１は、支持機構４００の上フランジが固定され中空空間Ｈの天井部を形成する板状の部材である。
基礎構造フランジ５１１は、上フランジ４１２に固定される。
例えば、基礎構造フランジ５１１は、上フランジ４１２にねじ固定される。
内壁板状部材５１２は、上部を基礎構造フランジ５１１の周囲に繋げ中空空間Ｈの内壁を形成する板状部材である
例えば、内壁板状部材５１２は、上部を基礎構造フランジ５１１の周囲に繋げ下部をコンクリート層に当接して中空空間Ｈの内壁を形成する板状部材であってもよい。
鍔状部材５１３は、内壁板状部材５１２の下端に繋がり周囲へ延びる板状部材である。
鉄筋コンクリート構造物５１４は、基礎構造フランジ５１１と内壁板状部材５１２とを型枠として施工されてもよい。
例えば、鉄筋コンクリート構造物５１４は、鉄筋コンクリート構造物の筋材の端部が内壁板状部材５１２に固定される。
基礎構造フランジ５１１と内壁板状部材５１２と鉄筋コンクリート構造物５１４とが、一体となって基礎部材５１０として機能してもよい。
基礎構造フランジ５１１と内壁板状部材５１２と鍔状部材５１３と鉄筋コンクリート構造物５１４とが、一体となって基礎部材５１０として機能してもよい。
図６（Ａ）に基礎構造フランジ５１１と内壁板状部材５１２と鍔状部材５１３と鉄筋コンクリート構造物５１４とが、一体となって基礎部材５１０として機能する様子を示す。
【００４６】
基礎部材５１０が、中空空間Ｈと外部を繋いで支持機構４００を搬入出できる貫通穴Ｍを設けられてもよい。
基礎部材５１０が、中空空間Ｈと外部を繋いで作業員が外部から中空空間Ｈに入ることができる貫通穴Ｍを設けられてもよい。
例えば、貫通穴Ｍは、マンホールである。
基礎部材５１０が、上部に作業員が外部から中空空間Ｈに入ることができる貫通穴Ｍを設けられてもよい。
基礎部材５１０が、側部に作業員が外部から中空空間Ｈに入ることができる貫通穴Ｍを設けられてもよい。
基礎部材５１０が、作業員が外部から中空空間Ｈに入ることができ支持機構４００を搬入出できる貫通穴Ｍを設けられてもよい。
基礎部材５１０が、上部に作業員が外部から中空空間Ｈに入ることができ支持機構４００を搬入出できる貫通穴Ｍを設けられてもよい。
図７は、基礎部材５１０が側部に支持機構４００を搬入出できる貫通穴Ｍを設けられる様子を示す。
図８は、基礎部材５１０が上部に支持機構４００を搬入出できる貫通穴Ｍを設けられる様子を示す。
この様にすると、構造物を建造後に、作業員が構造物基礎を容易に確認することができる。
この様にすると、構造物を建造後に、作業員が構造物基礎を容易に目視確認することができる。
この様にすると、構造物を建造後、大きな地震があったときに、作業員が構造物基礎の健全性を容易に確認することができる。
この様にすると、構造物を建造後、大きな地震があったときに、作業員が構造物基礎の健全性を容易に確認し、支持機構４００の変形を修正することができる。
この様にすると、構造物を建造後、大きな地震があったときに、作業員が構造物基礎の健全性を容易に確認し、支持機構４００を交換することができる。
【００４７】
基礎部材下面Ｄが、コンクリート層上面Ｓに水平方向に相対移動可能に当接してもよい。
この様にすると、構造物１０の複数の柱１１のうちの一部の柱１１に浮上させようとする力が作用したとき、反対側の柱１１に固定される基礎部材５１０の基礎部材下面Ｄがコンクリート層上面Ｓに当接し、構造物１０の浮上りを抑制できる。
図６（Ａ）、図７、図８は、基礎部材下面Ｄがコンクリート層上面Ｓに水平方向に相対移動可能に当接する様子を示す。
【００４８】
１本の基礎杭２００が、１個のフィラープレート３００と１個の支持機構４００と１個の基礎部材５１０とを支持してもよい。
図９（Ａ）は、１本の基礎杭２００が、１個のフィラープレート３００と１個の支持機構４００と１個の基礎部材５１０とを支持する様子を示す。
複数の基礎杭２００が、１個のフィラープレート３００と１個の支持機構４００と１個の基礎部材５１０とを支持してもよい。
図９（Ｂ）〜（Ｄ）は、複数の基礎杭２００が、１個のフィラープレート３００と１個の支持機構４００と１個の基礎部材５１０とを支持する様子を示す。
【００４９】
１本の基礎杭２００が１個のフィラープレート３００と１個の支持機構４００と１個の基礎部材５１０とを支持してもよい。
図１０（Ａ）は、その様子を示す。
Ｎ本の基礎杭２００がＮ個のフィラープレート３００とＮ個の支持機構４００を支持し、Ｎ個の支持機構４００が１個の基礎部材５１０とを支持してもよい。
図１０（Ｂ）は、その様子を示す。
Ｎ本の基礎杭２００が１個のフィラープレート３００を支持し、１個のフィラープレート３００がＮ個の支持機構４００を支持し、Ｎ個の支持機構４００が１個の基礎部材５１０とを支持してもよい。
図１０（Ｃ）は、その様子を示す。
【００５０】
チェック工程Ｓ２０は、発生した地震が収束した後で、支持機構４００の上フランジ４１２と下フランジ４１１の水平方向のずれ値をチェックする工程である。
チェック工程Ｓ２０は、発生した地震が収束した後で、支持機構４００の上フランジ４１２と下フランジ４１１の水平方向の向きとそのずれ値をチェックしてもよい。
想定を越える規模の地震が発生すると、基礎杭２００の杭値２１０と基礎部材５１０との間に大きな剪断力が作用する。
大きな剪断力が作用すると、支持機構４００のプラグ４３０に塑性変形が発生する。
その結果、下フランジ４１１と上フランジ４１２に水平方向のずれが生ずる。
上から見て下フランジ４１１と上フランジ４１２に水平方向のずれの向きとずれ値を計測する。
ずれ値が所定量を越えているとき、ジャッキアップ工程Ｓ３０と支持機構外し工程Ｓ４０と新たな支持機構準備工程Ｓ５０と支持機構設置工程Ｓ６０とを実行する。
ずれ値が所定量を越えているとき、ジャッキアップ工程Ｓ３０と支持機構外し工程Ｓ４０と新たな支持機構準備工程Ｓ５０と支持機構設置工程Ｓ６０とジャッキ外し工程Ｓ７０とを実行してもよい。
【００５１】
ジャッキアップ工程Ｓ３０は、フィラープレート３００またはコンクリート層１００の何方か一方と基礎部材５１０との間にジャッキ６００をかませて基礎部材を持ち上げる工程である。
ジャッキアップ工程Ｓ３０は、フィラープレート３００と基礎部材５１０との間にジャッキ６００をかませて基礎部材５１０を持ち上げてもよい。
ジャッキアップ工程Ｓ３０は、コンクリート層１００と基礎部材５１０との間にジャッキ６００をかませて基礎部材５１０を持ち上げてもよい。
ジャッキアップ工程Ｓ３０は、フィラープレート３００またはコンクリート層１００の何方か一方と基礎部材５１０との間にジャッキ６００をかませて基礎部材を持ち上げてフィラープレート３００と基礎部材５１０との間を僅かに広げてもよい。
ジャッキアップ工程Ｓ３０は、フィラープレート３００またはコンクリート層１００の何方か一方と基礎部材５１０との間にジャッキ６００をかませて基礎部材５１０を持ち上げて支持機構４００に作用する垂直力が小さくしてもよい。
ジャッキアップ工程Ｓ３０は、フィラープレート３００またはコンクリート層１００の何方か一方と基礎部材５１０との間にジャッキ６００をかませて基礎部材５１０を持ち上げて支持機構４００が水平方向にずらすことができる様にしてもよい。
ジャッキ６００は事前に据付けられていてもよい。
ジャッキ６００は、螺子式であってもよい。
ジャッキ６００は、油圧シリンダであってもよい。
ジャッキ６００は、ラムシリンダであってもよい。
【００５２】
支持機構外し工程Ｓ４０は、支持機構４００をフィラープレート３００と基礎部材５１０との間から外し水平方向に移動させて外部へ出す工程である。
支持機構外し工程Ｓ４０は、支持機構４００をフィラープレート３００と基礎部材との間から外し水平方向に移動させて中空空間Ｈから貫通穴Ｍを通して外部へ出してもよい。
支持機構４００がフィラープレート３００とボルトで結合されている場合、そのボルトを外した後で支持機構４００をフィラープレート３００と基礎部材５１０との間から外し水平方向に移動させて外部へ出す。
支持機構４００が基礎部材５１０とボルトで結合されている場合、そのボルトを外した後で支持機構４００をフィラープレート３００と基礎部材５１０との間から外し水平方向に移動させて外部へ出す。
【００５３】
支持機構４００の下フランジ４１１が下フランジ４１１より大きな面をもつフランジ状の部材である下フランジアダプタ４１３を介してフィラープレート３００の上部に固定される場合、支持機構外し工程Ｓ４０が、支持機構４００を下フランジアダプタ４１３と一体としてフィラープレート３００と基礎部材５１０との間から外し水平方向に移動させて外部へ出してもよい。
支持機構外し工程Ｓ４０が、支持機構４００を下フランジアダプタ４１３と一体としてフィラープレート３００と基礎部材５１０との間から外し水平方向に移動させて中空空間Ｈから貫通穴Ｍを通して外部へ出してもよい。
【００５４】
支持機構４００の上フランジ４１２が上フランジ４１２より大きな面をもつフランジ状の部材である上フランジアダプタ４１４を介して基礎部材５００に固定される場合、支持機構外し工程Ｓ４０が、支持機構４００を上フランジアダプタ４１４と一体としてフィラープレート３００と基礎部材５１０との間から外し水平方向に移動させて外部へ出してもよい。
支持機構外し工程Ｓ４０が、支持機構４００を上フランジアダプタ４１４と一体としてフィラープレート３００と基礎部材５１０との間から外し水平方向に移動させて中空空間Ｈから貫通穴Ｍを通して外部へ出してもよい。
【００５５】
新たな支持機構準備工程Ｓ５０は、新たな支持機構４００ｎを準備する工程である。
新たな支持機構準備工程Ｓ５０は、ずれ量Ｇに対応する新たな支持機構４００ｎを準備してもよい。
新たな支持機構準備工程Ｓ５０は、ずれ量Ｇに対応して加工された新たな支持機構４００ｎを準備してもよい。
例えば、新たな支持機構準備工程Ｓ５０は、ずれ量Ｇに対応して取付ボルト穴をずらして加工された新たな支持機構を準備してもよい。
【００５６】
新たな支持機構準備工程Ｓ５０は、外した支持機構４００の上フランジ４１２と下フランジ４１１の水平方向のずれ量Ｇに応じて加工された上フランジ４１２または下フランジ４１１を持つ新たな支持機構４００ｎを準備してもよい。
新たな支持機構準備工程Ｓ５０は、外した支持機構４００の上フランジ４１２と下フランジ４１１の水平方向のずれの向きとずれ量Ｇに応じて加工された上フランジ４１２または下フランジ４１１を持つ新たな支持機構４００ｎを準備してもよい。
新たな支持機構準備工程Ｓ５０は、外した支持機構４００の上フランジ４１２と下フランジ４１１の水平方向のずれ量Ｇに応じて加工された下フランジ４１１を持つ新たな支持機構４００ｎを準備してもよい。
図４（Ａ）は、ずれ量に応じて加工された下フランジ４１１を持つ新たな支持機構４００ｎを示す。
新たな支持機構準備工程Ｓ５０は、外した支持機構４００の上フランジ４１２と下フランジ４１１の水平方向のずれ量Ｇに応じて加工された上フランジ４１２を持つ新たな支持機構４００ｎを準備してもよい。
図４（Ｂ）は、ずれ量に応じて加工された上フランジ４１２を持つ新たな支持機構４００ｎを示す。
新たな支持機構準備工程Ｓ５０は、外した支持機構４００の上フランジ４１２と下フランジ４１１の水平方向のずれ量Ｇに応じて加工された上フランジ４１２と下フランジ４１１とを持つ新たな支持機構４００ｎを準備してもよい。
図４（Ｃ）は、ずれ量に応じて加工された上フランジ４１２と下フランジ４１１とを持つ新たな支持機構４００ｎを示す。
【００５７】
支持機構の下フランジ４１１が下フランジ４１１より大きな面をもつフランジ状の部材である下フランジアダプタ４１３を介してフィラープレート３００の上部に固定される場合、新たな支持機構準備工程Ｓ５０が外した支持機構４００の上フランジ４１２と下フランジ４１１の水平方向のずれ量に応じて加工された下フランジアダプタ４１３を持つ新たな支持機構４００ｎを準備してもよい。
新たな支持機構準備工程Ｓ５０が外した支持機構４００の上フランジ４１２と下フランジ４１１の水平方向のずれ量に応じて加工された新しい下フランジアダプタ４１３を持つ新たな支持機構４００ｎを準備してもよい。
【００５８】
支持機構４００の上フランジ４１２が上フランジ４１２より大きな面をもつフランジ状の部材である上フランジアダプタ４１４を介して基礎部材５１０に固定される場合、新たな支持機構準備工程Ｓ５０が外した支持機構４００の上フランジ４１２と下フランジ４１１の水平方向のずれ量に応じて加工された上フランジアダプタ４１４を含む新たな支持機構４００ｎを準備してもよい。
新たな支持機構準備工程Ｓ５０が外した支持機構４００の上フランジ４１２と下フランジ４１１の水平方向のずれ量に応じて加工された新しい上フランジアダプタ４１４を含む新たな支持機構４００ｎを準備してもよい。
【００５９】
支持機構設置工程Ｓ６０は、新たな支持機構４００ｎを外部から入れてフィラープレート３００と基礎部材５１０との間に水平移動して設置する工程である。
支持機構設置工程Ｓ６０は、新たな支持機構４００ｎを外部から貫通穴Ｍを通して中空空間Ｈに入れてフィラープレートと基礎部材との間に水平移動して設置してもよい。
【００６０】
支持機構４００の下フランジ４１１が下フランジ４１１より大きな面をもつフランジ状の部材である下フランジアダプタ４１４を介してフィラープレート３００の上部に固定される場合、支持機構設置工程Ｓ６０が、新たな支持機構４００ｎを新たな下フランジアダプタ４１３と一体として外部から入れてフィラープレート３００と基礎部材５１０との間に水平移動して設置してもよい。  
支持機構設置工程Ｓ６０が、新たな支持機構４００ｎを新たな下フランジアダプタ４１３と一体として外部から貫通穴Ｍを通して中空空間Ｈに入れてフィラープレート３００と基礎部材５１０との間に水平移動して設置してもよい。
【００６１】
支持機構４００の上フランジ４１１が上フランジ４１２より大きな面をもつフランジ状の部材である上フランジアダプタ４１４を介して基礎部材５１０に固定される場合、支持機構設置工程Ｓ６０が、新たな支持機構４００ｎを新たな上フランジアダプタ４１４と一体として外部から入れてフィラープレート３００と基礎部材５１０との間に水平移動して設置してもよい。
支持機構設置工程Ｓ６０が、新たな支持機構４００を新たな上フランジアダプタ４１４と一体として外部から貫通穴Ｍを通して中空空間Ｈに入れてフィラープレート３００と基礎部材５１０との間に水平移動して設置してもよい。
【００６２】
ジャッキ外し工程Ｓ７０は、ジャッキ６００で基礎部材から外す工程である。
外したジャッキ６００を外部へ出してもよい。
外したジャッキ６００をそのままの位置においていてもよい。
【００６３】
以上説明したように、本発明の実施形態に係る構造物基礎のメンテナンス方法は、その構成により、以下の効果を有する。
基礎杭２００が地盤５の上に打設されたコンクリート層１００を貫通し、コンクリート層１００の上面から露出する杭頭にフィラープレート３００が嵌合し、下フランジ４１１がフィラープレート３００の上部に固定れ、上下一対のフランジ４１０にプラグ４３０の上下を固定され、支持機構４００の上フランジ４１２が柱の下部に固定される基礎構造に固定され、基礎構造の下方に向いた開口をもつ中空空間Ｈがフィラープレート３００と支持構造を内包し、開口の周囲の基礎部材下面がコンクリート層１００の上面を水平方向に相対移動自在に当接する構造物基礎を準備し、ジャッキ６００をかませて基礎部材を持ち上げ、支持機構４００をフィラープレート３００と基礎部材との間から外し水平方向に移動させて外部へ出し、新たな支持機構４００ｎを準備し、新たな支持機構４００ｎを外部から貫通穴を通して中空空間Ｈに入れてフィラープレート３００と基礎部材との間に水平移動して設置する様にしたので、想定を超える規模の地震が発生したときに支持機構４００を交換して、構造物基礎の初期の機能を維持できる。
また、構造物基礎を準備し、ジャッキ６００をかませて基礎部材を持ち上げ、支持機構４００をフィラープレート３００と基礎部材との間から外し水平方向に移動させて中空空間Ｈから貫通穴を通して外部へ出し、新たな支持機構４００ｎを準備し、新たな支持機構４００ｎを外部から貫通穴を通して中空空間Ｈに入れてフィラープレート３００と基礎部材との間に水平移動して設置する様にしたので、想定を超える規模の地震が発生したときに支持機構４００を交換して、構造物基礎の初期の機能を維持できる。
また、支持部材の上フランジ４１２が固定される基礎構造フランジが中空空間Ｈの天井部を形成し、内壁板状部材が中空空間Ｈの内壁を形成し、基礎部材が基礎構造フランジと内壁板状部材とを型枠として施工された鉄筋コンクリート構造物とする様にしたので、基礎部材を中空空間Ｈと一体化して製作でき、中空空間Ｈ内の作業をより安全にできる。
また、発生した地震が収束した後で、支持機構４００の上フランジ４１２と下フランジ４１１の水平方向のずれ値をチェックしずれ量が所定量を越えているとき、ずれ量に対応するして加工された新たな支持機構４００ｎを準備する様にしたので、想定を超える規模の地震が発生したときにずれ量に対応して支持機構４００を交換して、構造物基礎の初期の機能を維持できる。
また、外した支持機構４００ｎの上フランジ４１２と下フランジ４１１の水平方向のずれ量に応じて加工された上フランジ４１２または下フランジ４１１を持つ新たな支持機構４００ｎを準備する様にしたので、想定を超える規模の地震が発生したときにずれ量に対応して支持機構４００を交換して、構造物基礎の初期の機能を維持できる。
また、構造物基礎を下フランジ４１１が下フランジアダプタ４１３を介してフィーラープレートの上に固定される構造とし、支持機構４００と下フランジアダプタ４１３とを一体としてフィラープレート３００と基礎部材との間から外して、外した支持機構４００の上フランジ４１２と下フランジ４１１の水平方向のずれ量に応じて加工された下フランジアダプタ４１３と新たな支持機構４００ｎとを準備し、新たな支持機構４００ｎと新たな下フランジアダプタ４１３とを一体としてフィラープレート３００と基礎部材との間に水平移動して設置する様にしたので、想定を超える規模の地震が発生したときにずれ量に対応して支持機構４００を交換して、構造物基礎の初期の機能を維持できる。
また、構造物基礎を上フランジ４１２が上フランジアダプタ４１４を介して基礎部材に固定される構造とし、支持機構４００と上フランジアダプタ４１４とを一体としてフィラープレート３００と基礎部材との間から外して、外した支持機構４００の上フランジと下フランジ４１１の水平方向のずれ量に応じて加工された上フランジアダプタ４１４と新たな支持機構４００ｎとを準備し、新たな支持機構４００ｎと新たな上フランジアダプタ４１４とを一体としてフィラープレート３００と基礎部材との間に水平移動して設置する様にしたので、想定を超える規模の地震が発生したときにずれ量に対応して支持機構４００を交換して、構造物基礎の初期の機能を維持できる。
その結果、想定を超える規模の地震が発生したときに構造物基礎の初期の機能を維持するための構造物基礎のメンテナンス方法を提供できる。
【００６４】
本発明は以上に述べた実施形態に限られるものではなく、発明の要旨を逸脱しない範囲で各種の変更が可能である。
【符号の説明】
【００６５】
Ｓ１０  準備工程
Ｓ２０  チェック工程
Ｓ３０  ジャッキアップ工程
Ｓ４０  支持機構外し工程
Ｓ５０  新たな支持機構準備工程
Ｓ６０  支持機構設置工程
Ｓ７０  ジャッキ外し工程
Ｇ  ずれ量
Ｗ  中空部
Ｈ  中空空間
Ｍ  貫通穴
Ｄ  基礎部材下面
Ｓ  コンクリート層上面
５  地盤
１０  構造物
１１  柱
１００  コンクリート層
２００  基礎杭
２１０  杭頭
２２０  杭本体
３００  フィラープレート
３１０  板状部
３１１  締結ボルト
３２０  環状部
３３０  突起部
３４０  鍔状部
４００  支持機構
４００ｎ  新たな支持機構
４１０  フランジ
４１１  下フランジ
４１２  上フランジ
４１３  下フランジアダプタ
４１４  上フランジアダプタ
４２０  積層部材
４２１  金属製板状部材
４２２  弾性材製板状層部材
４３０  プラグ
４４０  外周被覆部材
５００  基礎構造
５１０  基礎部材
５１１  基礎構造フランジ
５１２  内壁板状部材
５１３  鍔状部材
５１４  鉄筋コンクリート構造物
５２０  梁部材
６００  ジャッキ
１０００  地盤面
【先行技術文献】
【特許文献】
【００６６】
【特許文献１】特開平９−２７３１６２号
【特許文献２】特開平１０−２１２６号
【特許文献３】特開２００６−１０４８８３号
【特許文献４】特開２００７−１２０２３２号
【特許文献５】特開２０１３−８７４３８号
【特許文献６】特開２０１３−１５９９９７号
【特許文献７】特開２０１５−１９０３０２号
【特許文献８】特開２０１６−８３８９号
【特許文献９】特開２０１７−１８６８１９号
【図１】
2019183573.tif 000003
【図２】
2019183573.tif 000004
【図３】
2019183573.tif 000005
【図４】
2019183573.tif 000006
【図５】
2019183573.tif 000007
【図６】
2019183573.tif 000008
【図７】
2019183573.tif 000009
【図８】
2019183573.tif 000010
【図９】
2019183573.tif 000011
【図１０】
2019183573.tif 000012
【図１１】
2019183573.tif 000013
【図１２】
2019183573.tif 000014
【図１３】
2019183573.tif 000015
【図１４】
2019183573.tif 000016